(57)【要約】【課題】メイン動画として記録される入力データにおける特徴データを含む特徴区間を、メイン動画とは異なる画質属性を有するサブ動画として利用する。【解決手段】データ入力部２１１からの入力データは、符号化／復号器２２０において符号化され、メインメディア制御部２３１によりメイン動画として記録媒体２４１に記録される。入力データは、同時に特徴検出部２５０にも入力され、特徴検出部２５０において顔画像などの特徴データが検出されると、サブメディア制御部２３２によってサブ動画として記録媒体２４２に記録される。サブ動画に対応するメイン動画における記録位置は、サブ動画と関連付けられて管理情報として記録媒体２４１または２４２に記録される。サブ動画は、その使用用途に応じた画質属性により記録され、特徴シーン一覧のサムネイルまたはメイン画像を起点とする高画質再生画像として用いられる。【選択図】図１
2009033369.tif 000002
【特許請求の範囲】
【請求項１】
データを入力するデータ入力手段と、
前記入力データに基づいて第１の画質属性を有する第１の動画像信号を記録する第１の動画像信号記録手段と、
前記第１の動画像信号を記録している期間において前記入力データが所定の条件を満たすことを検出する条件検出手段と、
前記所定の条件を満たすことが検出されると前記入力データに基づいて第２の画質属性を有する第２の動画像信号を記録する第２の動画像信号記録手段と
を具備することを特徴とする記録装置。
【請求項２】
前記所定の条件は、前記入力データに顔画像が含まれているという条件であることを特徴とする請求項１記載の記録装置。
【請求項３】
前記第２の動画像信号記録手段は、前記所定の条件を満たしている間継続して前記第２の動画像信号を記録することを特徴とする請求項１記載の記録装置。
【請求項４】
前記第２の動画像信号記録手段は、前記所定の条件を満たし始めた時を開始点として所定期間継続して前記第２の動画像信号を記録することを特徴とする請求項１記載の記録装置。
【請求項５】
前記第２の動画像信号と前記第１の動画像信号における記録位置とを関連付ける管理情報を記録する管理情報記録手段をさらに具備することを特徴とする請求項１記載の記録装置。
【請求項６】
前記第１の動画像信号記録手段および前記第２の動画像信号記録手段は、互いに異なる種類の記録媒体に前記第１の動画像信号または前記第２の動画像信号をそれぞれ記録することを特徴とする請求項１記載の記録装置。
【請求項７】
前記第１の画質属性は、前記第２の画質属性よりも高画質であることを特徴とする請求項１記載の記録装置。
【請求項８】
前記第１の画質属性は、前記第２の画質属性よりも低画質であることを特徴とする請求項１記載の記録装置。
【請求項９】
前記第１の画質属性は、前記第２の画質属性よりも高ビットレートであることを特徴とする請求項１記載の記録装置。
【請求項１０】
前記第１の画質属性は、前記第２の画質属性よりも低ビットレートであることを特徴とする請求項１記載の記録装置。
【請求項１１】
被写体を撮像して撮像データを生成する撮像手段と、
前記撮像データに基づいて第１の画質属性を有する第１の動画像信号を記録する第１の動画像信号記録手段と、
前記第１の動画像信号を記録している期間において前記撮像データが所定の条件を満たすことを検出する条件検出手段と、
前記所定の条件を満たすことが検出されると前記撮像データに基づいて第２の画質属性を有する第２の動画像信号を記録する第２の動画像信号記録手段と
を具備することを特徴とする撮像装置。
【請求項１２】
第１の動画像信号を保持する第１の保持手段と、
前記第１の動画像信号よりも低画質の画質属性を有する第２の動画像信号を保持する第２の保持手段と、
前記第２の動画像信号と前記第１の動画像信号における記録位置とを関連付ける管理情報を保持する管理情報保持手段と、
前記第２の動画像信号の一覧を表示する一覧表示手段と、
前記一覧における前記第２の動画像信号の選択操作を受け付ける操作受付手段と、
前記第２の動画像信号の何れかが選択されるとその選択された前記第２の動画像信号に関連付けられる前記第１の動画像信号における記録位置を前記管理情報に基づき抽出してその記録位置から前記第１の動画像信号を再生する再生手段と
を具備することを特徴とする再生装置。
【請求項１３】
第１の動画像信号を保持する第１の保持手段と、
前記第１の動画像信号よりも高画質の画質属性を有する第２の動画像信号を保持する第２の保持手段と、
前記第２の動画像信号と前記第１の動画像信号における記録位置とを関連付ける管理情報を保持する管理情報保持手段と、
前記第１の動画像信号の再生中に前記管理情報においてその記録位置に関連付けられる前記第２の動画像信号が存在する場合にはその旨を表示する再生手段と、
前記第２の動画像信号の再生指示操作を受け付ける操作受付手段と
を具備し、
前記再生手段は、前記再生指示操作に従って前記第２の動画像信号を再生することを特徴とする再生装置。
【請求項１４】
データを入力するデータ入力手段と、
前記入力データに基づいて第１の画質属性を有する第１の動画像信号を記録する第１の動画像信号記録手段と、
前記第１の動画像信号を記録している期間において前記入力データが所定の条件を満たすことを検出する条件検出手段と、
前記所定の条件を満たすことが検出されると前記入力データに基づいて第２の画質属性を有する第２の動画像信号を記録する第２の動画像信号記録手段と、
前記第２の動画像信号と前記第１の動画像信号における記録位置とを関連付ける管理情報を記録する管理情報記録手段と、
前記第２の動画像信号の一覧を表示する一覧表示手段と、
前記一覧における前記第２の動画像信号の選択操作を受け付ける操作受付手段と、
前記第２の動画像信号の何れかが選択されるとその選択された前記第２の動画像信号に関連付けられる前記第１の動画像信号における記録位置を前記管理情報に基づき抽出してその記録位置から前記第１の動画像信号を再生する再生手段と
を具備することを特徴とする記録再生装置。
【請求項１５】
データを入力するデータ入力手段と、
前記入力データに基づいて第１の画質属性を有する第１の動画像信号を記録する第１の動画像信号記録手段と、
前記第１の動画像信号を記録している期間において前記入力データが所定の条件を満たすことを検出する条件検出手段と、
前記所定の条件を満たすことが検出されると前記入力データに基づいて第２の画質属性を有する第２の動画像信号を記録する第２の動画像信号記録手段と、
前記第２の動画像信号と前記第１の動画像信号における記録位置とを関連付ける管理情報を記録する管理情報記録手段と、
前記第１の動画像信号の再生中に前記管理情報においてその記録位置に関連付けられる前記第２の動画像信号が存在する場合にはその旨を表示する再生手段と、
前記第２の動画像信号の再生指示操作を受け付ける操作受付手段と
を具備し、
前記再生手段は、前記再生指示操作に従って前記第２の動画像信号を再生することを特徴とする記録再生装置。
【請求項１６】
入力されたデータに基づいて第１の画質属性を有する第１の動画像信号および第２の画質属性を有する第２の動画像信号を記録する記録装置における記録方法であって、
前記第１の動画像信号の記録指示に応答して前記第１の動画像信号を記録する第１の動画像信号記録手順と、
前記第１の動画像信号を記録している期間において前記入力データが所定の条件を満たすことを検出する条件検出手順と、
前記所定の条件を満たすことが検出されると前記第２の動画像信号を記録する第２の動画像信号記録手順と
を具備することを特徴とする記録方法。
【請求項１７】
入力されたデータに基づいて第１の画質属性を有する第１の動画像信号を記録する第１の動画像信号記録手段と、前記入力データに基づいて第２の画質属性を有する第２の動画像信号を記録する第２の動画像信号記録手段とを備える記録装置において、
前記第１の動画像信号の記録指示に応答して前記第１の動画像信号記録手段に前記第１の動画像信号を記録させる第１の動画像信号記録手順と、
前記第１の動画像信号を記録している期間において前記入力データが所定の条件を満たすことを検出する条件検出手順と、
前記所定の条件を満たすことが検出されると前記第２の動画像信号記録手段に前記第２の動画像信号を記録させる第２の動画像信号記録手順と
をコンピュータに実行させることを特徴とするプログラム。
【発明の詳細な説明】
【技術分野】
【０００１】
本発明は、記録再生装置に関し、特に画像を含むデータを記録または再生する記録装置、再生装置、記録再生装置、撮像装置、および、これらにおける処理方法ならびに当該方法をコンピュータに実行させるプログラムに関する。
【背景技術】
【０００２】
カムコーダやビデオデッキなどの記録再生装置においては、ユーザの記録指示に従って入力データの記録が行われる。カムコーダの場合には、ユーザによって記録指示ボタン（ＲＥＣボタン）が押下されると撮像画像の記録を開始し、再び記録指示ボタンが押下されると記録を終了する。また、ビデオデッキの場合、記録指示ボタンに従った番組記録の他、録画予約に従った予約録画が行われることも多い。
【０００３】
このようにして記録された画像データのうち、ユーザにとって関心のある部分は限られていることが少なくない。例えば、撮像画像のうち人物が映っている場面だけを再生したい場合や、スポーツの得点シーンだけを再生したい場合がある。そのため、従来は、記録された画像データのうち重要部分と考えられる区間を抽出して、統合することによりダイジェスト映像が生成されていた。例えば、音声信号の周波数強度分布について、重要パターンとして登録してある周波数強度分布とのマッチングを行い、類似度が閾値以上である部分を重要部分（盛り上がり部分）と判断して、その部分をコピーして別に記録する情報処理装置が提案されている（例えば、特許文献１参照。）。
【特許文献１】特開２００４−３０９９２０号公報（図１）
【発明の開示】
【発明が解決しようとする課題】
【０００４】
上述の従来技術では、一旦記録された画像データから重要部分を抽出して、統合していた。しかしながら、入力データを全区間記録した後にその一部を抽出するためには、入力データに対して先頭から抽出処理を行うことになり、その抽出に要する時間をさらに要することになる。また、抽出後のデータの画質を変更するためには再エンコードが必要になり、その処理にさらに時間を要することになる。特に、抽出後のデータを高画質で再生したい場合、記録された画質以上に高い画質に変換することは一般に困難である。
【０００５】
本発明はこのような状況に鑑みてなされたものであり、メイン動画として記録される入力データにおける特徴データを含む特徴区間を、メイン動画とは異なる画質属性を有するサブ動画として利用することを目的とする。
【課題を解決するための手段】
【０００６】
本発明は、上記課題を解決するためになされたものであり、その第１の側面は、データを入力するデータ入力手段と、上記入力データに基づいて第１の画質属性を有する第１の動画像信号を記録する第１の動画像信号記録手段と、上記第１の動画像信号を記録している期間において上記入力データが所定の条件を満たすことを検出する条件検出手段と、上記所定の条件を満たすことが検出されると上記入力データに基づいて第２の画質属性を有する第２の動画像信号を記録する第２の動画像信号記録手段とを具備することを特徴とする記録装置、記録方法およびその方法をコンピュータに実行させるプログラムである。これにより、入力データに基づいて第１の動画像信号を記録している期間において所定の条件を満たすことが検出されると、入力データに基づいて第２の動画像信号を記録させるという作用をもたらす。
【０００７】
また、この第１の側面において、上記所定の条件は、上記入力データに顔画像が含まれているという条件とすることができる。これにより、入力データに顔画像が検出されたことを契機として第２の動画像信号を記録させるという作用をもたらす。
【０００８】
また、この第１の側面において、上記第２の動画像信号記録手段は、上記所定の条件を満たしている間継続して上記第２の動画像信号を記録してもよく、また、上記所定の条件を満たし始めた時を開始点として所定期間継続して上記第２の動画像信号を記録してもよい。
【０００９】
また、この第１の側面において、上記第２の動画像信号と上記第１の動画像信号における記録位置とを関連付ける管理情報を記録する管理情報記録手段をさらに具備してもよい。これにより、第１および第２の動画像信号を相互に関連付けるという作用をもたらす。
【００１０】
また、この第１の側面において、上記第１の動画像信号記録手段および上記第２の動画像信号記録手段は、互いに異なる種類の記録媒体に上記第１の動画像信号または上記第２の動画像信号をそれぞれ記録してもよい。これにより、第１および第２の動画像信号を互いに異なる装置において再生可能にするという作用をもたらす。
【００１１】
また、この第１の側面において、上記第１の画質属性は、上記第２の画質属性よりも高画質であってもよく、また、上記第２の画質属性よりも低画質であってもよい。また、上記第１の画質属性は、上記第２の画質属性よりも高ビットレートであってもよく、また、上記第２の画質属性よりも低ビットレートであってもよい。
【００１２】
また、本発明の第２の側面は、被写体を撮像して撮像データを生成する撮像手段と、上記撮像データに基づいて第１の画質属性を有する第１の動画像信号を記録する第１の動画像信号記録手段と、上記第１の動画像信号を記録している期間において上記撮像データが所定の条件を満たすことを検出する条件検出手段と、上記所定の条件を満たすことが検出されると上記撮像データに基づいて第２の画質属性を有する第２の動画像信号を記録する第２の動画像信号記録手段とを具備することを特徴とする撮像装置である。これにより、撮像データに基づいて第１の動画像信号を記録している期間において所定の条件を満たすことが検出されると、撮像データに基づいて第２の動画像信号を記録させるという作用をもたらす。
【００１３】
また、本発明の第３の側面は、第１の動画像信号を保持する第１の保持手段と、上記第１の動画像信号よりも低画質の画質属性を有する第２の動画像信号を保持する第２の保持手段と、上記第２の動画像信号と上記第１の動画像信号における記録位置とを関連付ける管理情報を保持する管理情報保持手段と、上記第２の動画像信号の一覧を表示する一覧表示手段と、上記一覧における上記第２の動画像信号の選択操作を受け付ける操作受付手段と、上記第２の動画像信号の何れかが選択されるとその選択された上記第２の動画像信号に関連付けられる上記第１の動画像信号における記録位置を上記管理情報に基づき抽出してその記録位置から上記第１の動画像信号を再生する再生手段とを具備することを特徴とする再生装置である。これにより、第２の動画像信号の一覧表示に基づいて第１の動画像信号の対応する記録位置から再生させるという作用をもたらす。
【００１４】
また、本発明の第４の側面は、第１の動画像信号を保持する第１の保持手段と、上記第１の動画像信号よりも高画質の画質属性を有する第２の動画像信号を保持する第２の保持手段と、上記第２の動画像信号と上記第１の動画像信号における記録位置とを関連付ける管理情報を保持する管理情報保持手段と、上記第１の動画像信号の再生中に上記管理情報においてその記録位置に関連付けられる上記第２の動画像信号が存在する場合にはその旨を表示する再生手段と、上記第２の動画像信号の再生指示操作を受け付ける操作受付手段とを具備し、上記再生手段は、上記再生指示操作に従って上記第２の動画像信号を再生することを特徴とする再生装置である。これにより、第１の動画像信号の再生位置に基づいて第２の動画像信号を再生させるという作用をもたらす。
【００１５】
また、本発明の第５の側面は、データを入力するデータ入力手段と、上記入力データに基づいて第１の画質属性を有する第１の動画像信号を記録する第１の動画像信号記録手段と、上記第１の動画像信号を記録している期間において上記入力データが所定の条件を満たすことを検出する条件検出手段と、上記所定の条件を満たすことが検出されると上記入力データに基づいて第２の画質属性を有する第２の動画像信号を記録する第２の動画像信号記録手段と、上記第２の動画像信号と上記第１の動画像信号における記録位置とを関連付ける管理情報を記録する管理情報記録手段と、上記第２の動画像信号の一覧を表示する一覧表示手段と、上記一覧における上記第２の動画像信号の選択操作を受け付ける操作受付手段と、上記第２の動画像信号の何れかが選択されるとその選択された上記第２の動画像信号に関連付けられる上記第１の動画像信号における記録位置を上記管理情報に基づき抽出してその記録位置から上記第１の動画像信号を再生する再生手段とを具備することを特徴とする記録再生装置である。これにより、入力データに基づいて第１の動画像信号を記録している期間において所定の条件を満たすことが検出されると、入力データに基づいて第２の動画像信号を記録させ、第２の動画像信号の一覧表示に基づいて第１の動画像信号の対応する記録位置から再生させるという作用をもたらす。
【００１６】
また、本発明の第６の側面は、データを入力するデータ入力手段と、上記入力データに基づいて第１の画質属性を有する第１の動画像信号を記録する第１の動画像信号記録手段と、上記第１の動画像信号を記録している期間において上記入力データが所定の条件を満たすことを検出する条件検出手段と、上記所定の条件を満たすことが検出されると上記入力データに基づいて第２の画質属性を有する第２の動画像信号を記録する第２の動画像信号記録手段と、上記第２の動画像信号と上記第１の動画像信号における記録位置とを関連付ける管理情報を記録する管理情報記録手段と、上記第１の動画像信号の再生中に上記管理情報においてその記録位置に関連付けられる上記第２の動画像信号が存在する場合にはその旨を表示する再生手段と、上記第２の動画像信号の再生指示操作を受け付ける操作受付手段とを具備し、上記再生手段は、上記再生指示操作に従って上記第２の動画像信号を再生することを特徴とする記録再生装置である。これにより、入力データに基づいて第１の動画像信号を記録している期間において所定の条件を満たすことが検出されると、入力データに基づいて第２の動画像信号を記録させ、第１の動画像信号の再生位置に基づいて第２の動画像信号を再生させるという作用をもたらす。
【発明の効果】
【００１７】
本発明によれば、メイン動画として記録される入力データにおける特徴データを含む特徴区間を、メイン動画とは異なる画質属性を有するサブ動画として利用することができるという優れた効果を奏し得る。
【発明を実施するための最良の形態】
【００１８】
次に本発明の実施の形態について図面を参照して詳細に説明する。
【００１９】
図１は、本発明の実施の形態における記録再生装置２００の一構成例を示す図である。この記録再生装置２００は、データ入力部２１１と、データ出力部２１２と、符号化／復号器２２０と、時刻情報管理部２２９と、メインメディア制御部２３１と、サブメディア制御部２３２と、特徴検出部２５０と、メインフォーマット制御部２６１と、サブフォーマット制御部２６２と、メインアクセス制御部２７１と、サブアクセス制御部２７２と、ファイルシステム２８０と、システム制御部２９０と、操作入力受付部２９１とを備えている。
【００２０】
また、この記録再生装置２００は、メイン動画を記録するための記録媒体２４１と、サブ動画を記録するための記録媒体２４２とを備えている。ここで、メイン動画とはユーザによって指示された全区間を網羅する動画像であり、サブ動画とは特徴データを含む部分的区間（特徴区間）に相当する動画像である。
【００２１】
データ入力部２１１は、記録対象となるデータを入力するものである。ここで、記録対象となるデータは、動画像データを含むことを想定する。この動画像データは音声データを伴ってもよい。この記録再生装置２００が撮像装置の一部である場合には、撮像された撮像データが記録対象となる。したがって、このデータ入力部２１１は、カメラ部分であってもよく、また、入力端子であってもよい。
【００２２】
データ出力部２１２は、入力され、または、記録されたデータを出力するものである。ここでは、動画像データを含むことを想定しているため、データ出力部２１２は、ＬＣＤ（Liquid Crystal Display）等の表示装置により実現される。
【００２３】
符号化／復号器２２０は、データ入力部２１１から供給されたデータを符号化し、もしくは、メインメディア制御部２３１またはサブメディア制御部２３２から供給されたデータを復号するものである。この符号化／復号器２２０の構成例については後述する。
【００２４】
時刻情報管理部２２９は、符号化／復号器２２０において符号化されるデータの時刻情報を管理するものである。この時刻情報管理部２２９は、例えば９０ＫＨｚの時刻カウンターを備え、データの符号化開始時刻を先頭とした９０ＫＨｚ単位の時刻情報を動画像のフレームに付与する。また、この時刻情報は、特徴検出部２５０にも供給される。
【００２５】
メインメディア制御部２３１は、符号化／復号器２２０によって符号化されたメイン動画を記録媒体２４１に記録するよう制御するものである。サブメディア制御部２３２は、符号化／復号器２２０によって符号化されたサブ動画を記録媒体２４２に記録するよう制御するものである。
【００２６】
特徴検出部２５０は、データ入力部２１１から供給された入力データに含まれる特徴データを抽出するものである。ここにいう特徴データとしては、例えば、動画像データに含まれる顔画像を想定することができる。この場合、動画像データにおいて顔画像が含まれていることが検出されると、特徴検出部２５０は、時刻情報管理部２２９から供給される時刻情報をシステム制御部２９０に伝達する。これにより、メイン動画を記録している期間において動画像データに顔画像が含まれていることが検出されると、システム制御部２９０を介してサブ動画の記録が並行して行われるようになる。このサブ動画が並行して記録される時間的区間を特徴区間という。なお、ここでは、顔画像を検出する例について説明したが、他にも特定の音声データが含まれていることを検出するようにしてもよい。
【００２７】
メインフォーマット制御部２６１は、メイン動画のアプリケーションフォーマットを制御するものである。サブフォーマット制御部２６２は、サブ動画のアプリケーションフォーマットを制御するものである。本発明の実施の形態では、メイン動画をＡＶＣＨＤフォーマット、サブ動画をＭＰ４フォーマットで記録することを想定するが、本発明はこれに限定されるものではない。
【００２８】
メインアクセス制御部２７１は、メイン動画の書込みおよび読出しを制御するものである。サブアクセス制御部２７２は、サブ動画の書込みおよび読出しを制御するものである。ファイルシステム２８０は、データをファイルとして管理するための仕組みである。
【００２９】
システム制御部２９０は、メイン動画およびサブ動画の書込みおよび読出しの全体動作を制御するものである。例えば、システム制御部２９０は、メイン動画における時刻情報と関連付けてサブ動画を記録するように制御する。
【００３０】
操作入力受付部２９１は、ユーザからの操作入力を受け付けるものである。操作入力としては、例えば、メイン動画の記録または再生指示や特徴シーン一覧の表示指示などが想定される。
【００３１】
図２は、本発明の実施の形態における符号化／復号器２２０の一構成例を示す図である。この符号化／復号器２２０は、分配器２２１と、メイン符号化器２２２と、サブ符号化器２２３と、メイン復号器２２４と、サブ復号器２２５と、選択器２２６とを備えている。
【００３２】
分配器２２１は、データ入力部２１１から供給されたデータをメイン符号化器２２２およびサブ符号化器２２３に分配するものである。符号化の制御をメイン符号化器２２２およびサブ符号化器２２３において行う場合には、分配器２２１は特別な制御を行う必要がなく、メイン符号化器２２２およびサブ符号化器２２３にデータをそのまま供給すれば足りる。
【００３３】
メイン符号化器２２２は、分配器２２１から供給されたデータをメイン動画として符号化して、メインメディア制御部２３１に出力するものである。サブ符号化器２２３は、分配器２２１から供給されたデータをサブ動画として符号化して、サブメディア制御部２３２に出力するものである。本発明の実施の形態では、メイン動画の符号化方式としてＭＰＥＧ４ＡＶＣ形式、サブ動画の符号化方式としてＭＰＥＧ４形式を想定するが、本発明はこれに限定されるものではない。
【００３４】
メイン復号器２２４は、メインメディア制御部２３１から供給されたメイン動画を復号して選択器２２６に出力するものである。サブ復号器２２５は、サブメディア制御部２３２から供給されたサブ動画を復号して選択器２２６に出力するものである。選択器２２６は、メイン復号器２２４およびサブ復号器２２５からそれぞれ出力されたメイン動画およびサブ動画の何れかを選択してデータ出力部２１２に出力するものである。
【００３５】
図３は、本発明の実施の形態におけるメイン動画とサブ動画の関係例を示す図である。メイン動画は、ユーザによって記録開始を指示された時点から記録停止を指示された時点までの全区間を網羅する動画像である。サブ動画は、メイン動画の部分的区間に相当する動画像である。この例において、サブ動画＃１（５２１）はメイン動画の区間５１１に相当し、サブ動画＃２（５２２）はメイン動画の区間５１２に相当し、サブ動画＃３（５２３）はメイン動画の区間５１３に相当する。
【００３６】
メイン動画とサブ動画は、時間軸上で重複して記録されるが、互いに符号化のパラメータが異なる。サブ動画は、メイン動画よりも低画質であってもよく、高画質であってもよい。また、サブ動画は、メイン動画よりも低ビットレートであってもよく、高ビットレートであってもよい。これらの関係は、記録されたメイン動画およびサブ動画の利用形態によって定めることができる。例えば、メイン動画を再生するためのインデックスとしてサブ動画を利用する場合には、サブ動画はメイン動画よりも低画質または低ビットレートである方が都合がよい。一方、メイン動画の中の一部の区間のみを高画質で提供するような場合には、サブ動画はメイン動画よりも高画質または高ビットレートで記録しておく必要がある。
【００３７】
本発明の実施の形態では、メイン動画が記録されている間において、特徴検出部２５０によって顔画像等の特徴が検出されると、サブ動画５２１乃至５２３が記録される。このサブ動画が記録される際には、対応するメイン動画における時刻情報との関連付けが行われる。この関連付けを保持するのが次に説明する管理情報である。
【００３８】
図４は、本発明の実施の形態における管理情報のフィールド構成例を示す図である。この管理情報は、サブ動画識別子６１１、メイン動画識別子６１２およびメイン動画内時刻情報６１３の各フィールドを備えている。
【００３９】
サブ動画識別子６１１は、サブ動画を識別するための情報である。この例では番号によりサブ動画を識別しているが、ファイル名などを用いてもよい。
【００４０】
メイン動画識別子６１２は、メイン動画を識別するための情報である。この例では番号によりメイン動画を識別しているが、サブ動画と同様に、ファイル名などを用いてもよい。
【００４１】
メイン動画内時刻情報６１３は、メイン動画においてサブ動画に対応する時刻を示す情報である。この時刻としては、上述のように時刻情報管理部２２９における９０ＫＨｚの時刻カウンターによって付与されたものを利用することができる。
【００４２】
この例では、第１番目のサブ動画は、第１番目のメイン動画の先頭から６００６０×（１／９００００）秒の時刻に相当する動画であることを示している。
【００４３】
図５は、本発明の実施の形態におけるメイン動画を保持するフォルダ構成例である。この例では、ルートフォルダ４１０の下に動画フォルダ４１１が配置され、この動画フォルダ４１１の下に構成情報ファイル４１２、プレイリストフォルダ４１３、コンテンツ情報フォルダ４１４、動画データフォルダ４１６およびバックアップフォルダ４１８が配置されている。
【００４４】
構成情報ファイル４１２は、動画データの構成に関する情報を保持するファイルである。プレイリストフォルダ４１３は、動画データの部分区間をつなぎ合わせたプレイリストを保持するフォルダである。コンテンツ情報フォルダ４１４は、動画データに関する属性情報を保持するフォルダである。動画データフォルダ４１６は、動画データを動画ファイル４１７として保持するフォルダである。バックアップフォルダ４１８は、バックアップのためのコピーを保持するフォルダである。
【００４５】
このフォルダ構成例では、メイン動画と関連付けられるサブ動画に関する管理情報（図４参照）は、属性情報の中の管理情報ファイル４１５として保持される。これにより、メイン動画からサブ動画を容易に参照することができる。
【００４６】
図６は、本発明の実施の形態におけるサブ動画を保持するフォルダ構成例である。この例では、ルートフォルダ４２０の下に動画データベースフォルダ４２１および動画ルートフォルダ４２３が配置される。動画ルートフォルダ４２３の下には、動画フォルダ４２４および４２７が配置され、それらの下に動画ファイル４２５、４２６、４２８、４２９等が配置される。
【００４７】
このフォルダ構成例では、サブ動画と関連付けられるメイン動画に関する管理情報（図４参照）は、動画データベースフォルダ４２１の下の管理情報ファイル４２２として保持される。これにより、サブ動画からメイン動画を容易に参照することができる。
【００４８】
図７は、本発明の実施の形態におけるメイン動画記録の動作例を示すシーケンスチャートである。操作入力受付部２９１において動画記録開始指示が受け付けられると、システム制御部２９０から符号化／復号器２２０にメイン動画およびサブ動画の符号化が指示されるとともに、システム制御部２９０からメインアクセス制御部２７１にメイン動画の書込みが指示される（動画記録開始命令）。
【００４９】
符号化／復号器２２０およびメインアクセス制御部２７１から動画記録開始完了応答が返ってくると、システム制御部２９０は、記録開始されたメイン動画のファイル情報の登録を行う。なお、この例では、記録開始時にファイル登録を行っているが、記録完了後にファイル登録を行うようにしてもよい。
【００５０】
これにより、符号化／復号器２２０におけるメイン動画およびサブ動画の符号化が開始される。また、メインメディア制御部２３１では、符号化／復号器２２０によるメイン動画の符号化が待機される。メイン動画およびサブ動画の符号化が一定量行われると、符号化／復号器２２０は、システム制御部２９０に符号化済の通知を行う。
【００５１】
システム制御部２９０は、メイン動画の符号化済通知を受けると、メインフォーマット制御部２６１を介してメイン動画のデータをアプリケーションフォーマットとして適切な形式に整形させ、ファイルシステム２８０を介してメインメディア制御部２３１からメイン動画をファイルとして記録させる。一方、サブ動画の符号化済通知がされても、サブ動画の記録は行われない。以後、このメイン動画の符号化および記録は動画記録停止命令が発行されるまで繰り返される（ループ１）。
【００５２】
その後、操作入力受付部２９１において動画記録終了指示が受け付けられると、システム制御部２９０から符号化／復号器２２０にメイン動画およびサブ動画の符号化停止が指示されるとともに、システム制御部２９０からメインアクセス制御部２７１にメイン動画の書込み停止が指示される（動画記録停止命令）。
【００５３】
符号化／復号器２２０は、記録停止が完了すると、システム制御部２９０に最終符号化済の通知を行う。システム制御部２９０は、メイン動画の最終符号化済通知を受けると、メインフォーマット制御部２６１を介してメイン動画のデータをアプリケーションフォーマットとして適切な形式に整形させ、ファイルシステム２８０を介してメインメディア制御部２３１からメイン動画をファイルとして記録させた後に、ファイルをクローズさせる。
【００５４】
図８は、本発明の実施の形態におけるサブ動画記録の動作例を示すシーケンスチャートである。図７で説明したループ１（図８では内部の表記は省略）において、メイン動画とともにサブ動画の符号化が行われ、（図示しない）バッファに保持される。但し、このバッファに保持されたサブ動画の符号化済データはファイルとして記録されず、このバッファには最新のデータが上書き更新されていく。
【００５５】
特徴検出部２５０において特徴データ（例えば顔画像データ）が検出されると、その旨がシステム制御部２９０に通知される。また、このとき、時刻情報管理部２２９において管理される時刻情報も併せてシステム制御部２９０に通知される。
【００５６】
システム制御部２９０は、特徴検出通知を受けると、サブアクセス制御部２７２にサブ動画の書込みを指示する。サブアクセス制御部２７２からサブ動画記録開始完了応答が返ってくると、システム制御部２９０は、記録開始されたサブ動画のファイル情報の登録を行う。このとき、特徴検出部２５０から通知された時刻情報により、メイン動画とサブ動画との関連付けを行う。また、システム制御部２９０は、サブフォーマット制御部２６２を介してサブ動画のデータをアプリケーションフォーマットとして適切な形式に整形させ、ファイルシステム２８０を介してサブメディア制御部２３２からサブ動画をファイルとして記録させる。このファイルへの記録処理はバッファに新たな符号化済データが保持されるたびに繰り返される（ループ２）。
【００５７】
その後、システム制御部２９０は、予め定められた記録停止タイミングによって、サブアクセス制御部２７２に対してサブ動画の書込み停止を指示する。この記録停止タイミングは、サブ動画記録開始から一定時間が経過したタイミングでもよく、また、特徴データが検出されなくなったタイミングでもよい。
【００５８】
その後、システム制御部２９０は、サブフォーマット制御部２６２を介してサブ動画のデータをアプリケーションフォーマットとして適切な形式に整形させ、ファイルシステム２８０を介してサブメディア制御部２３２からサブ動画をファイルとして記録させた後に、ファイルをクローズさせる。
【００５９】
図９は、本発明の実施の形態におけるインデックス再生の動作例を示すシーケンスチャートである。ここでは、サブ動画の一覧から何れかのサブ動画が選択されると、そのサブ動画に関連付けられたメイン動画の時刻情報が示す位置からメイン動画が再生されることを想定する。
【００６０】
システム制御部２９０は、ファイルシステム２８０を介して管理情報ファイルを読み出す。そして、この管理情報ファイルに基づいてサブ動画の一覧を取得する。例えば、サブ動画の先頭画像をサムネイルとして保持している場合、サムネイルの一覧を表示する等の制御が考えられる。このとき、各サブ動画には、対応するメイン動画とその再生開始位置が関連付けられている。
【００６１】
操作入力受付部２９１において何れかのサブ動画が選択されると、システム制御部２９０は、符号化／復号器２２０およびメインアクセス制御部２７１にメイン動画の再生が指示される（動画再生開始命令）。
【００６２】
メインアクセス制御部２７１は、動画再生開始命令を受け取ると、メインフォーマット制御部２６１に対して、再生すべきメイン動画の識別子と再生開始位置の時刻情報を通知して、メイン動画ファイル内のアドレスを取得する。メインメディア制御部２３１は、取得したアドレスに基づいてメイン動画を読み出して、一定量の読出しが完了すると、符号化／復号器２２０に読出し済通知を行う。符号化／復号器２２０は、読出し済通知を受けると、復号を行う。このファイルからの読出しおよび復号はバッファに新たな読出しデータが保持されるたびに繰り返される（ループ３）。
【００６３】
その後、サブ動画の終端まで再生が完了するか、もしくは、操作入力受付部２９１において動画再生終了指示が受け付けられると、システム制御部２９０から符号化／復号器２２０にメイン動画の再生停止が指示されるとともに、システム制御部２９０からメインアクセス制御部２７１にメイン動画の読出し停止が指示される（動画再生停止命令）。
【００６４】
符号化／復号器２２０およびメインアクセス制御部２７１は、再生停止が完了すると、システム制御部２９０に再生完了の通知を行う。システム制御部２９０は、メイン動画の再生完了通知を受けると、ファイルをクローズさせる。
【００６５】
図１０は、本発明の実施の形態におけるサブ動画の利用例を示す図である。この例では、サブ動画５２０が低画質で記録された場合を想定しており、個々のサブ動画のサムネイルが特徴シーン一覧のサムネイルとして利用される。例えば、サブ動画５２１のサムネイルがサムネイル７１１として表示され、サブ動画５２２のサムネイルがサムネイル７１２として表示され、サブ動画５２３のサムネイルがサムネイル７１３として表示される。
【００６６】
この特徴シーン一覧におけるサムネイルは、対応するサブ動画を代表する任意のシーンの静止画を用いることができる。また、この特徴シーン一覧には、静止画のサムネイルに代えてサブ動画そのものを表示するようにしてもよい。例えば、マウスカーソルがサムネイル領域に重ね合わせられると、そのサムネイル領域においてサブ動画が再生されるようにしてもよい。なお、この特徴シーン一覧には、表示ページを変更するボタンが設けられており、前ページ移動ボタン７２１が選択されると前ページに移動し、次ページ移動ボタン７２２が選択されると次ページに移動する。
【００６７】
特徴シーン一覧においてサムネイルが選択されると、メイン動画５１０の対応する位置から再生が行われる。例えば、サムネイル７１１が選択されると、サブ動画５２１に対応するメイン動画５１１が再生される。メイン動画５１１の再生後は、一旦停止するようにしてもよく、また、メイン動画５１０の再生を継続するようにしてもよい。
【００６８】
この利用例によれば、サブ動画を特徴シーン一覧の表示に用いることにより、メイン動画における対応する位置からメイン動画を再生表示することができる。この特徴シーン一覧におけるサブ動画は、特徴データを含むものであるため、ユーザにとって特に興味のあるシーンへのインデックスを提供することができる。
【００６９】
図１１は、本発明の実施の形態におけるサブ動画の他の利用例を示す図である。この例では、サブ動画５２０が高画質で記録された場合を想定している。この場合、メイン動画５１０は画面７５０における画像表示ウィンドウ７５１に再生表示される。
【００７０】
そして、その再生表示中に、対応するサブ動画が存在する位置になると、高画質映像表示可ボタン７５２が表示され、ボタンの押下を促す。メイン動画５１３が再生されている場合において、ユーザがこの高画質映像表示可ボタン７５２を押下すると、その対応するサブ動画５２３が再生表示される。
【００７１】
この利用例によれば、メイン動画と並行して高画質なサブ動画を部分的に記録しておいて、メイン動画の再生時にサブ動画を利用した高画質表示に切り替えることができる。この場合、メイン動画の全区間ではなく、特徴区間に限って高画質なサブ動画を記録しておけばよいため、記録容量を増大させることなく、ユーザにとって特に興味のあるシーンのみ高画質による映像再生を行うことができる。
【００７２】
図１２は、本発明の実施の形態における記録再生装置２００の動画記録の処理手順を示すフローチャートである。記録再生装置２００は、ユーザによるメイン動画記録の指示を待機し、操作入力受付部２９１によってメイン動画記録指示が受け付けられると（ステップＳ９１１）、データ入力部２１１から供給されたデータについてメイン動画の記録を開始する（ステップＳ９１２）。
【００７３】
そして、データ入力部２１１から供給されたデータに含まれる特徴（顔画像など）が特徴検出部２５０によって検出されると（ステップＳ９１３）、記録再生装置２００は、データ入力部２１１から供給されたデータについてサブ動画の記録を開始する（ステップＳ９１４）。その後、メイン動画またはサブ動画の記録が終了するまで、メイン動画およびサブ動画は同時に記録されていく（ステップＳ９１５、Ｓ９１６）。
【００７４】
サブ動画記録開始から一定時間が経過したタイミング、もしくは、特徴データが検出されなくなったタイミングで、サブ動画の記録は終了する（ステップＳ９１７）。また、サブ動画のメイン動画における時刻位置情報が生成され、図４に示した管理情報として記録される（ステップＳ９１８）。
【００７５】
そして、操作入力受付部２９１によってメイン動画記録終了指示が受け付けられると（ステップＳ９１９）、メイン動画の記録を終了する（ステップＳ９２１）。
【００７６】
図１３は、本発明の実施の形態における記録再生装置２００の特徴シーン一覧からの再生処理手順を示すフローチャートである。操作入力受付部２９１によって特徴シーン一覧の表示が指示されると、サブ動画が読み出され（ステップＳ９３１）、図１０のような特徴シーン一覧として表示される（ステップＳ９３２）。
【００７７】
そして、特徴シーン一覧における何れかのサムネイルが選択されると（ステップＳ９３３）、その選択されたサムネイルに対応するメイン動画の位置が図４に示した管理情報に基づいて特定され（ステップＳ９３４）、その再生位置からメイン動画が再生表示される（ステップＳ９３５）。
【００７８】
図１４は、本発明の実施の形態における記録再生装置２００の特徴区間再生処理手順を示すフローチャートである。操作入力受付部２９１によってメイン動画再生指示が受け付けられると、メイン動画の再生を開始する（ステップＳ９５１）。その後、メイン動画の再生位置が特徴区間に入ると（ステップＳ９５２）、特徴区間である旨の表示が行われる（ステップＳ９５３）。このような表示として、例えば、図１１の高画質映像表示可ボタン７５２が表示される。このとき、高画質映像表示可ボタン７５２が押下されると（ステップＳ９５４）、メイン動画の再生が停止され（ステップＳ９５５）、対応するサブ動画の再生が開始される（ステップＳ９５６）。
【００７９】
そして、サブ動画の末尾まで再生されるか、もしくは、ユーザによってサブ動画の再生終了が指示されると（ステップＳ９５７）、サブ動画の再生は停止して（ステップＳ９５８）、メイン動画の再生が再開する（ステップＳ９５９）。メイン動画の再生再開位置としては、サブ動画の再生停止位置に対応する位置が想定される。
【００８０】
その後、操作入力受付部２９１によってメイン動画の再生停止指示が受け付けられるまでステップＳ９５２以降の処理が繰り返される。そして、メイン動画の再生停止指示が受け付けられると（ステップＳ９６１）、メインサブ動画の再生は停止する（ステップＳ９６２）。
【００８１】
このように、本発明の実施の形態によれば、メイン動画記録中に入力されたデータにおいて特徴検出部２５０が特徴データを検出したことを契機として、サブ動画を同時に記録することにより、メイン動画の特徴区間において画質属性の異なるサブ動画を記録生成することができる。このサブ動画は、特徴シーン一覧の選択対象画像として用いることができ、また、メイン画像を起点とする高画質再生画像として用いることができる。
【００８２】
ここまでは、本発明の実施の形態として記録再生装置２００について説明したが、本発明は撮像装置にも適用することができる。以下、撮像装置１００を一例として説明する。
【００８３】
図１５は、本発明の実施の形態における撮像装置１００の一構成例を示す図である。この撮像装置１００は、カメラ部１０と、記録再生処理部２０と、制御部３０とを備えている。
【００８４】
カメラ部１０は、光学ブロック１１と、カメラ制御部１２と、信号変換器１３と、撮像信号処理部１４と、音声入力部１５と、音声信号処理部１６とを備える。光学ブロック１１は、内部に、被写体を撮像するためのレンズ群、絞り調整機構、フォーカス調整機構、ズーム機構、シャッター機構、フラッシュ機構、および、手ブレ補正機構などを備える。カメラ制御部１２は、制御部３０から制御信号を受けて、光学ブロック１１に供給する制御信号を生成する。そして、生成した制御信号を光学ブロック１１に供給して、ズーム制御、シャッター制御、および、露出制御などの制御を行なう。
【００８５】
信号変換器１３は、例えばＣＣＤ（Charge Coupled Device）などの撮像素子により構成され、その結像面に、光学ブロック１１を通じた像が結像される。この信号変換器１３は、シャッター操作に応じて制御部３０から供給される画像取り込みタイミング信号を受けて、結像面に結像されている被写体像を撮像信号に変換し、撮像信号処理部１４に供給する。
【００８６】
撮像信号処理部１４は、制御部３０からの制御信号に基づいて、撮像信号についてのガンマ補正やＡＧＣ（Auto Gain Control）などの処理を行うとともに、撮像信号をデジタル信号としての画像信号に変換する処理も行う。音声入力部１５は、撮影時の被写体周辺の音声を収集する。この音声入力部１５からの音声信号は音声信号処理部１６に供給される。音声信号処理部１６は、制御部３０からの制御信号に基づいて、音声信号についての補正やＡＧＣなどの処理を行うとともに、音声信号をデジタル信号に変換する処理も行なう。
【００８７】
記録再生処理部２０は、符号化／復号回路２１と、媒体インターフェース２３と、出力処理部２４と、バッファメモリ２５とを備える。
【００８８】
符号化／復号回路２１は、カメラ部１０からの画像信号および音声信号や追加記録情報を符号化し多重化して圧縮データに変換する符号化機能を有する。一方、符号化／復号回路２１は、圧縮データから画像信号および音声信号や追加記録情報を分離して復号する復号機能を有する。また、符号化／復号回路２１は、制御部３０からの制御信号に基づき、撮像信号処理部１４からの画像信号に対して、自動ホワイトバランス制御、露出補正制御、デジタルズーム倍率に応じた拡大制御などをさらに行う。また、符号化／復号回路２１は、カメラ部１０からの画像信号および音声信号から特徴データを抽出する機能を有する。
【００８９】
媒体インターフェース２２および２３は、符号化／復号回路２１から圧縮データを受けて記録媒体４８および４９に書き込む。また、媒体インターフェース２２および２３は、記録媒体４８および４９から圧縮データを読み出して符号化／復号回路２１に供給する。記録媒体４８および４９としては、例えば、ＤＶＤなどのディスク状記録媒体やメモリカードなどの半導体メモリ、ハードディスクなどを想定することができる。
【００９０】
出力処理部２４は、制御部３０からの制御により、符号化／復号回路２１からの圧縮データを制御部３０や出力端子２７乃至２９に供給する。バッファメモリ２５は、例えばＳＤＲＡＭなどにより構成され、符号化／復号回路２１における符号化または復号のための作業領域として利用される。
【００９１】
制御部３０は、処理装置３１と、ＲＯＭ（Read Only Memory）３３と、ＲＡＭ（Random Access Memory）３４と、操作入力部４１を接続するための操作入力インターフェース３５と、表示部４２を接続するための表示制御部３６と、撮影時刻を記録するための時計回路３９とがシステムバス３２を介して接続されることにより構成される。
【００９２】
処理装置３１は制御部３０全体の処理を司るものであり、作業領域としてＲＡＭ３４を使用する。ＲＯＭ３３には、カメラ部１０を制御するためのプログラムや、画像信号や音声信号の記録制御および再生制御などを実行するためのプログラムが書き込まれている。
【００９３】
操作入力インターフェース３５に接続される操作入力部４１には、撮影モードと再生モードなどの他のモードとを切り換えるモード切り換えキー、ズーム調整キー、露出調整のためのキー、シャッターキー、動画撮影用キー、表示部４２における表示調整キーなどの複数のキーが設けられている。操作入力インターフェース３５は、操作入力部４１からの操作信号を処理装置３１に伝える。処理装置３１は、操作入力部４１においていずれのキーが操作されたかを判別し、その判別結果に応じた制御処理を行う。
【００９４】
表示制御部３６に接続される表示部４２は、例えばＬＣＤ（Liquid Crystal Display）などにより構成され、処理装置３１の制御の下に、カメラ部１０からの画像信号や、記録媒体４９から読み出された画像信号を表示する。時計回路３９は、年、月、日、時間、分、秒などを表わす時間情報を生成する。
【００９５】
この撮像装置１００において、カメラ部１０の出力が図１の記録再生装置２００におけるデータ入力部２１１に対応する。また、表示制御部３６が記録再生装置２００におけるデータ出力部２１２に対応する。また、操作入力インターフェース３５が操作入力受付部２９１に対応する。また、符号化／復号回路２１が符号化／復号器２２０、時刻情報管理部２２９および特徴検出部２５０に対応する。また、処理装置３１がメインフォーマット制御部２６１、サブフォーマット制御部２６２、メインアクセス制御部２７１、サブアクセス制御部２７２、ファイルシステム２８０およびシステム制御部２９０に対応する。また、媒体インターフェース２２および２３がメインメディア制御部２３１およびサブメディア制御部２３２に対応する。
【００９６】
このように、本発明は、記録再生装置２００のみならず、撮像装置１００にも適用することができる。
【００９７】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９８】
すなわち、請求項１において、データ入力手段は例えばデータ入力部２１１に対応する。また、第１の動画像信号記録手段は例えばメイン符号化器２２２およびメインメディア制御部２３１に対応する。また、条件検出手段は例えば特徴検出部２５０に対応する。また、第２の動画像信号記録手段は例えばサブ符号化器２２３およびサブメディア制御部２３２に対応する。
【００９９】
また、請求項５において、管理情報保持手段は例えば管理情報ファイル４１５または４２２に対応する。
【０１００】
また、請求項１１において、撮像手段は例えばカメラ部１０に対応する。また、第１の動画像信号記録手段は例えばメイン符号化器２２２およびメインメディア制御部２３１に対応する。また、条件検出手段は例えば特徴検出部２５０に対応する。また、第２の動画像信号記録手段は例えばサブ符号化器２２３およびサブメディア制御部２３２に対応する。
【０１０１】
また、請求項１２において、第１の保持手段は例えば記録媒体２４１に対応する。また、第２の保持手段は例えば記録媒体２４２に対応する。また、管理情報保持手段は例えば管理情報ファイル４１５または４２２に対応する。また、一覧表示手段は例えばデータ出力部２１２に対応する。また、操作受付手段は例えば操作入力受付部２９１に対応する。また、再生手段は例えばメインメディア制御部２３１およびメイン復号器２２４に対応する。
【０１０２】
また、請求項１３において、第１の保持手段は例えば記録媒体２４１に対応する。また、第２の保持手段は例えば記録媒体２４２に対応する。また、管理情報保持手段は例えば管理情報ファイル４１５または４２２に対応する。また、再生手段は例えばサブメディア制御部２３２およびサブ復号器２２５に対応する。また、操作受付手段は例えば操作入力受付部２９１に対応する。
【０１０３】
また、請求項１４において、データ入力手段は例えばデータ入力部２１１に対応する。また、第１の動画像信号記録手段は例えばメイン符号化器２２２およびメインメディア制御部２３１に対応する。また、条件検出手段は例えば特徴検出部２５０に対応する。また、第２の動画像信号記録手段は例えばサブ符号化器２２３およびサブメディア制御部２３２に対応する。また、管理情報保持手段は例えば管理情報ファイル４１５または４２２に対応する。また、一覧表示手段は例えばデータ出力部２１２に対応する。また、操作受付手段は例えば操作入力受付部２９１に対応する。また、再生手段は例えばメインメディア制御部２３１およびメイン復号器２２４に対応する。
【０１０４】
また、請求項１５において、データ入力手段は例えばデータ入力部２１１に対応する。また、第１の動画像信号記録手段は例えばメイン符号化器２２２およびメインメディア制御部２３１に対応する。また、条件検出手段は例えば特徴検出部２５０に対応する。また、第２の動画像信号記録手段は例えばサブ符号化器２２３およびサブメディア制御部２３２に対応する。また、管理情報保持手段は例えば管理情報ファイル４１５または４２２に対応する。また、再生手段は例えばサブメディア制御部２３２およびサブ復号器２２５に対応する。また、操作受付手段は例えば操作入力受付部２９１に対応する。
【０１０５】
また、請求項１６および１７において、第１の動画像信号記録手順は例えばステップＳ９１２に対応する。また、条件検出手順は例えばステップＳ９１３に対応する。また、第２の動画像信号記録手順は例えばステップＳ９１４に対応する。
【０１０６】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１０７】
【図１】本発明の実施の形態における記録再生装置２００の一構成例を示す図である。
【図２】本発明の実施の形態における符号化／復号器２２０の一構成例を示す図である。
【図３】本発明の実施の形態におけるメイン動画とサブ動画の関係例を示す図である。
【図４】本発明の実施の形態における管理情報のフィールド構成例を示す図である。
【図５】本発明の実施の形態におけるメイン動画を保持するフォルダ構成例である。
【図６】本発明の実施の形態におけるサブ動画を保持するフォルダ構成例である。
【図７】本発明の実施の形態におけるメイン動画記録の動作例を示すシーケンスチャートである。
【図８】本発明の実施の形態におけるサブ動画記録の動作例を示すシーケンスチャートである。
【図９】本発明の実施の形態におけるインデックス再生の動作例を示すシーケンスチャートである。
【図１０】本発明の実施の形態におけるサブ動画の利用例を示す図である。
【図１１】本発明の実施の形態におけるサブ動画の他の利用例を示す図である。
【図１２】本発明の実施の形態における記録再生装置２００の動画記録の処理手順を示すフローチャートである。
【図１３】本発明の実施の形態における記録再生装置２００の特徴シーン一覧からの再生処理手順を示すフローチャートである。
【図１４】本発明の実施の形態における記録再生装置２００の特徴区間再生処理手順を示すフローチャートである。
【図１５】本発明の実施の形態における撮像装置１００の一構成例を示す図である。
【符号の説明】
【０１０８】
１００  撮像装置
２００  記録再生装置
２１１  データ入力部
２１２  データ出力部
２２０  符号化／復号器
２２１  分配器
２２２  メイン符号化器
２２３  サブ符号化器
２２４  メイン復号器
２２５  サブ復号器
２２６  選択器
２２９  時刻情報管理部
２３１  メインメディア制御部
２３２  サブメディア制御部
２４１、２４２  記録媒体
２５０  特徴検出部
２６１  メインフォーマット制御部
２６２  サブフォーマット制御部
２７１  メインアクセス制御部
２７２  サブアクセス制御部
２８０  ファイルシステム
２９０  システム制御部
２９１  操作入力受付部
【図１】
2009033369.tif 000003
【図２】
2009033369.tif 000004
【図３】
2009033369.tif 000005
【図４】
2009033369.tif 000006
【図５】
2009033369.tif 000007
【図６】
2009033369.tif 000008
【図７】
2009033369.tif 000009
【図８】
2009033369.tif 000010
【図９】
2009033369.tif 000011
【図１０】
2009033369.tif 000012
【図１１】
2009033369.tif 000013
【図１２】
2009033369.tif 000014
【図１３】
2009033369.tif 000015
【図１４】
2009033369.tif 000016
【図１５】
2009033369.tif 000017